【手続補正書】
【提出日】平成16年6月28日(2004.6.28)
【手続補正１】
【補正対象書類名】明細書
【補正対象項目名】特許請求の範囲
【補正方法】変更
【補正の内容】
【特許請求の範囲】
【請求項１】
水性ベヒクルと着色剤とを含有するインクから構成されるインクセットであって、
第１及び第２の相互反応性インクから構成される少なくとも２つの相互反応性インクと、
前記少なくとも２つの相互反応性インクと反応性を示さない非反応性インクと、
を含むインクセット。
【請求項２】
前記第１の相互反応性インクがブラックであり、前記第２の相互反応性インクがマゼンタ又はイエローであり、前記非反応性インクがシアンである、請求項１に記載のインクセット。
【請求項３】
前記第１の相互反応性インクが、ｐＨ感知性成分を有し、且つ前記第２の相互反応性インクが、前記第１の相互反応性インクと前記第２の相互反応性インクとがプリント媒体上で接触する場合に、前記第２の相互反応性インクとの接触により前記第１の相互反応性インクが沈殿するようなｐＨを有する、請求項１に記載のインクセット。
【実施例４】
前記第１の相互反応性インクの前記ｐＨ感知性成分が、着色剤である、請求項３に記載のインクセット。
【実施例５】
前記第１の相互反応性インクが、第１イオン電荷を有する成分を含み、前記第２の相互反応性インクが、前記第１イオン電荷とは逆の第２イオン電荷を有し、且つ前記第１の相互反応性インクと前記第２の相互反応性インクとがプリント媒体上で接触する場合に、前記第２の相互反応性インクとの接触により前記第１の相互反応性インクが沈殿する、請求項１に記載のインクセット。
【実施例６】
前記第１の相互反応性インクの前記第１イオン電荷を有する成分が、着色剤である、請求項５に記載のインクセット。
【実施例７】
前記第１インクと反応性である第３の相互反応性インクをさらに含む、請求項１に記載のインクセット。
【実施例８】
前記第２の相互反応性インクがマゼンタであり、前記第３の相互反応性インクがイエローである、請求項７に記載のインクセット。
【実施例９】
前記第１の相互反応性インクがｐＨ感知性成分を有し、且つ前記第２及び前記第３の相互反応性インクのいずれか又は両方が、前記第１の相互反応性インクと、前記第２及び前記第３の相互反応性インクのいずれか又は両方がプリント媒体上で接触する場合に、前記第２及び前記第３の相互反応性インクのいずれか又は両方との接触により前記第１の相互反応性インクが沈殿するようなｐＨを有する、請求項７に記載のインクセット。
【実施例１０】
前記第１の相互反応性インクの前記ｐＨ感知性成分が、着色剤である、請求項９に記載のインクセット。
【実施例１１】
前記第１の相互反応性インクが第１イオン電荷を有する成分を含み、前記第２及び前記第３の相互反応性インクのいずれか又は両方が前記第１イオン電荷とは逆の第２イオン電荷を有し、且つ前記第１の相互反応性インクと前記第２及び前記第３の相互反応性インクのいずれか又は両方がプリント媒体上で接触する場合に、前記第２及び前記第３の相互反応性インクのいずれか又は両方との接触により前記第１の相互反応性インクが沈殿する、請求項７に記載のインクセット。
【実施例１２】
前記第１の相互反応性インクの前記第１イオン電荷を有する成分が、着色剤である、請求項１１に記載のインクセット。
【実施例１３】
インクジェットプリントヘッドからプリント媒体上にプリントする際のにじみを低減する方法であって、
請求項１から１２の何れか１項に記載のインクジェットインクセットを生成するステップと、
プリント媒体上に第１の予め決められたプリント領域を選択するステップと、
前記第１の予め決められたプリント領域上に、前記相互反応性インクのうちの１つの少なくとも１滴をプリントするステップと、
他の前記相互反応性インクの少なくとも１滴を前記第１プリント領域上にプリントし、それによって前記他の相互反応性インクの少なくとも１滴が、少なくとも部分的に、前記相互反応性インクのうちの１つの少なくとも１滴と重なり、よって、前記プリント媒体上で前記第１の相互反応性インクの少なくとも１滴を固定化するステップと、
前記プリント媒体上に前記第１プリント領域に隣接して第２の予め決められたプリント領域を選択するステップと、
前記第２の予め決められたプリント領域上に、前記非反応性インクの少なくとも１滴をプリントするステップと、
を包含し、
それによって前記プリント媒体上での前記第１の相互反応性インクの少なくとも１滴と前記非反応性インクの少なくとも１滴との混合を最小化し、よって、前記第１の相互反応性インクの少なくとも１滴と前記非反応性インクの少なくとも１滴との間のにじみを低減する、方法。
【請求項１４】
インクジェットプリントヘッドからプリント媒体上にプリントする際のプリントシステムの性能を向上させる方法であって、
請求項１から１２の何れか１項に記載のインクジェットインクセットを生成するステップと、
プリント媒体上に第１の予め決められたプリント領域を選択するステップと、
前記第１の予め決められたプリント領域上に、前記相互反応性インクのうちの１つの少なくとも１滴をプリントするステップと、
他の前記相互反応性インクの少なくとも１滴が、少なくとも部分的に、前記相互反応性インクのうちの１つの少なくとも１滴と重なるように、前記他の相互反応性インクの少なくとも１滴を前記第１プリント領域上にプリントするステップと、
を包含し、
前記相互反応性インクのうちの１つの少なくとも１滴と前記他の相互反応性インクの少なくとも１滴とが反応して、その反応の結果として、プリントシステムの性能が向上する、方法。
【手続補正２】
【補正対象書類名】明細書
【補正対象項目名】００３２
【補正方法】変更
【補正の内容】
【００３２】
第１及び第３インク間でにじみの低減を達成するには、（本願明細書においてアンダープリンティング方法(under-printing method)と呼ばれる）方法が採用され、この場合、第１インク（例えば、ブラック）によりプリントされる領域（ここでは、第１領域と呼ぶ）はまた、第１インクと反応する少なくとも１つのインク（例えば、マゼンタ又はイエロー）によっても、少なくとも部分的にプリントされる。アンダープリンティング方法は、反応性インク内の成分又はその所有物を第１インクの成分と反応させて、第１インクの着色剤を固定化させることによって、非反応性インクで印刷されている隣接領域中への第１インクの着色剤の移動を防止するものである。さらに、第１インクの耐汚れ性等の、その他のプリントシステムの属性を高めるのにアンダープリンティング方法を利用することができる。
【手続補正３】
【補正対象書類名】明細書
【補正対象項目名】００４１
【補正方法】変更
【補正の内容】
【００４１】
本願発明のインクセットを用いて第１インクと非反応性インクとの間のにじみを低減するのに用いられるプリント方法は、
水性ベヒクルと着色剤とを含有するインクから構成されるインクセットであって、
第１及び第２の相互反応性インクから構成される少なくとも２つの相互反応性インクと、
少なくとも２つの相互反応性インクに反応性を示さないインクと、
を含むインクジェットインクセットを生成するステップと、
第１のプリント領域をプリント媒体上に選択するステップと、
第１プリント領域上に相互反応性インクのうちの１つの少なくとも１滴をプリントするステップと、
他の相互反応性インクの少なくとも１滴を第一プリント領域上にプリントし、それによって他の相互反応性インクの少なくとも１滴が、少なくとも部分的に、前記相互反応性インクのうちの１つの少なくとも１滴と重なり、よって、プリント媒体上で第１相互反応性インクの少なくとも１滴を固定化するようにするステップと、
プリント媒体上に第１プリント領域に隣接して第２のプリント領域を選択するステップと、
第２のプリント領域上に非反応性インクの少なくとも１滴をプリントするステップと、
を包含し、
それによって、プリント媒体上での第１の相互反応性インクの少なくとも１滴と非反応性インクの少なくとも１滴との混合が最小化され、よって、第１の相互反応性インクの少なくとも１滴と非反応性インクの少なくとも１滴との間のにじみが低減される。
【手続補正４】
【補正対象書類名】明細書
【補正対象項目名】００４６
【補正方法】変更
【補正の内容】
【００４６】
２つのインクセットの各々について２つのプロット群を作った。各プロット群では、ブラックのブロックをシアンのブロックの隣りにプリントし、その後で、１つのブロックから他への望ましくないカラー移動、特に、シアン中へのブラックの移動について、プリントサンプルを目視検査した。第１のプロット群では、ブラックインクを受けるプリント媒体上の領域を、先ず、第２又は第４インクの１つによりアンダープリントした。第２群では、プリント媒体上にアンダープリンティングを何らせずにブラックインクをプリントした。